【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
回転ドラム、この回転ドラムを内置する外槽、前記回転ドラムを回転駆動するモータを含む洗濯機構と、前記洗濯機構を内置する外枠筐体と、前記洗濯機構を防振支持する防振機構と、前記外槽から流出してきた乾燥空気に除湿・加熱を加えて再び前記外槽に前記乾燥空気を送り込む乾燥空気循環供給系を備え、
前記乾燥空気循環供給系は、前記外槽の下部から流出する前記乾燥空気を除湿しながら上方に導く除湿ダクトと、前記乾燥空気を送る送風手段を有し、
前記除湿ダクトを上る泡を検知する泡検知手段を備える洗濯乾燥機において、
前記除湿ダクトは上から冷却水が流下する縦長風路を有し、前記縦長風路は片側内面に突出する多数の冷却フィンを設け、前記冷却フィンと向き合う他方側内面を冷却フィンのない平坦面とし、
前記泡検知手段は接触する泡を感知する接触電極を有し、前記接触電極を前記縦長風路の平坦面側に露出させたことを特徴とする洗濯乾燥機。
【請求項２】
請求項１記載の洗濯乾燥機において、
前記接触電極は二つの接触電極片を一組にして構成され、両接触電極片間の抵抗変化に応じて泡を検知することを特徴とする洗濯乾燥機。
【請求項３】
請求項１記載の洗濯乾燥機において、
前記縦長風路は断面が矩形状で、間隔が狭い対向面に前記冷却フィンと前記接触電極を向き合わせたことを特徴とする洗濯乾燥機。
【請求項４】
請求項２記載の洗濯乾燥機において、
前記接触電極片は、根元を固定支持する金属支持板を有し、
前記縦長風路は合成樹脂で形成され、前記金属支持板を締め付け固定する螺子が螺合する合成樹脂の螺子ボスを前記平坦面の内方に突き出すように前記縦長風路と一体に形成したことを特徴とする洗濯乾燥機。
【請求項５】
請求項４記載の洗濯乾燥機において、
一つの接触電極片に二つの前記螺子ボスを備え、
前記接触電極片が二つの前記螺子ボスの間で前記縦長風路内に突き出していることを特徴とする洗濯乾燥機。
【請求項６】
回転ドラム、この回転ドラムを内置する外槽、前記回転ドラムを回転駆動するモータを含む洗濯機構と、前記洗濯機構を内置する外枠筐体と、前記洗濯機構を防振支持する防振機構と、前記外槽から流出してきた乾燥空気に除湿・加熱を加えて再び前記外槽に前記乾燥空気を送り込む乾燥空気循環供給系を備え、
前記乾燥空気循環供給系は、前記外槽の下部から流出する前記乾燥空気を除湿しながら上方に導く除湿ダクトと、前記乾燥空気を送る送風手段を有し、
前記除湿ダクトを上る泡を検知する泡検知手段を備える洗濯乾燥機において、
洗濯工程は、洗剤溶かし、本洗い、すすぎ、追加すすぎ、リターンサイクルなどの各工程を含み、
前記本洗いでは、前記泡検知手段が泡を検知する毎に前記除湿ダクト内の泡を泡消去用のシャワで消去することを特徴とする洗濯乾燥機。
【請求項７】
回転ドラム、この回転ドラムを内置する外槽、前記回転ドラムを回転駆動するモータを含む洗濯機構と、前記洗濯機構を内置する外枠筐体と、前記洗濯機構を防振支持する防振機構と、前記外槽から流出してきた乾燥空気に除湿・加熱を加えて再び前記外槽に前記乾燥空気を送り込む乾燥空気循環供給系を備え、
前記乾燥空気循環供給系は、前記外槽の下部から流出する前記乾燥空気を除湿しながら上方に導く除湿ダクトと、前記乾燥空気を送る送風手段を有し、
前記除湿ダクトを上る泡を検知する泡検知手段を備える洗濯乾燥機において、
洗濯工程は、洗剤溶かし、本洗い、すすぎ、追加すすぎ、リターンサイクルなどの各工程を含み、
前記本洗いでは、前記泡検知手段が泡を検知したら前記外槽に溜っている洗濯水を洗濯量に応じた洗濯水位よりも所定水量下がるｘＴｒ水位まで排水することを特徴とする洗濯乾燥機。
【請求項８】
請求項６記載の洗濯乾燥機において、
前記泡検知手段による泡検知が所定回数を超えたら、前記除湿ダクト内の泡を泡消去用のシャワで消去したり、あるいは前記外槽に溜っている洗濯水を洗濯量に応じた洗濯水位よりも所定水量下がるｘＴｒ水位まで排水することをせずに発泡処理に移行し、
前記発泡処理では前記外槽に溜っている洗濯水を排水して新たな洗浄水に替えたり、あるいは前記外槽に洗濯水を溜めずに給水を続けることを特徴とする洗濯乾燥機。
【請求項９】
請求項６記載の洗濯乾燥機において、
前記泡検知手段による泡検知は、前記除湿ダクト内の泡を泡消去用のシャワで消去する最中、およびシャワ終了後の所定時間内では休止することを特徴とする洗濯乾燥機。
【請求項１０】
請求項８記載の洗濯乾燥機において、
前記本洗いで前記泡検知手段が検知する前記所定回数には、本洗いに先立って実行される洗剤溶かしで検知される泡検知は加算されないことを特徴とする洗濯乾燥機。
【請求項１１】
回転ドラム、この回転ドラムを内置する外槽、前記回転ドラムを回転駆動するモータを含む洗濯機構と、前記洗濯機構を内置する外枠筐体と、前記洗濯機構を防振支持する防振機構と、前記外槽から流出してきた乾燥空気に除湿・加熱を加えて再び前記外槽に前記乾燥空気を送り込む乾燥空気循環供給系を備え、
前記乾燥空気循環供給系は、前記外槽の下部から流出する前記乾燥空気を除湿しながら上方に導く除湿ダクトと、前記乾燥空気を送る送風手段を有し、
前記除湿ダクトを上る泡を検知する泡検知手段を備える乾燥機において、
前記除湿ダクトは上から冷却水が流下する縦長風路を有し、前記縦長風路は片側内面に突出する多数の冷却フィンを設け、前記冷却フィンと向き合う他方側内面を冷却フィンのない平坦面とし、
前記泡検知手段は接触する泡を感知する接触電極を有し、前記接触電極を前記縦長風路の平坦面側に露出させたことを特徴とする乾燥機。
【手続補正２】
【補正対象書類名】明細書
【補正対象項目名】０００４
【補正方法】変更
【補正の内容】
【０００４】
洗濯乾燥機は、回転ドラム、この回転ドラムを内置する外槽、前記回転ドラムを回転駆動するモータを含む洗濯機構と、前記洗濯機構を内置する外枠筐体と、前記洗濯機構を防振支持する防振機構と、前記外槽から流出してきた乾燥空気に除湿・加熱を加えて再び前記外槽に前記乾燥空気を送り込む乾燥空気循環供給系を備え、前記乾燥空気循環供給系は、前記外槽の下部から流出する前記乾燥空気を除湿しながら上方に導く除湿ダクトと、前記乾燥空気を送る送風手段を有し、前記除湿ダクトを上る泡を検知する泡検知手段を備えている。
【手続補正３】
【補正対象書類名】明細書
【補正対象項目名】０００８
【補正方法】変更
【補正の内容】
【０００８】
本発明は、回転ドラム、この回転ドラムを内置する外槽、前記回転ドラムを回転駆動するモータを含む洗濯機構と、前記洗濯機構を内置する外枠筐体と、前記洗濯機構を防振支持する防振機構と、前記外槽から流出してきた乾燥空気に除湿・加熱を加えて再び前記外槽に前記乾燥空気を送り込む乾燥空気循環供給系を備え、前記乾燥空気循環供給系は、前記外槽の下部から流出する前記乾燥空気を除湿しながら上方に導く除湿ダクトと、前記乾燥空気を送る送風手段を有し、前記除湿ダクトを上る泡を検知する泡検知手段を備える洗濯乾燥機において、前記除湿ダクトは上から冷却水が流下する縦長風路を有し、前記縦長風路は片側内面に突出する多数の冷却フィンを設け、前記冷却フィンと向き合う他方側内面を冷却フィンのない平坦面とし、前記泡検知手段は接触する泡を感知する接触電極を有し、前記接触電極を前記縦長風路の平坦面側に露出させたことを特徴とする。